(57)【要約】【課題】安価で繰り返し開閉性能に優れた封緘紙、及びそれを用いた繰り返し使用性に優れた蓋付き封筒類を提供すること。【解決手段】基材の一方の面に、少なくとも粘着層及び該粘着層を保護する為の剥離紙を有する、蓋付き封筒類に使用する封緘紙。前記粘着層は封筒類の蓋又は封筒の胴部の何れか一方に貼着する粘着部分を除き、弱粘着化処理なされた弱粘着部分となっている。【選択図】　図３
2004090963.tif 000002
【特許請求の範囲】
【請求項１】
基材の一方の面に、少なくとも粘着層及び該粘着層を保護する為の剥離紙を有する、蓋付き封筒類に使用する封緘紙であって、前記粘着層が封筒類の蓋又は封筒本体に貼着する何れか一方の粘着部分を除き、弱粘着化処理なされた弱粘着部分であることを特徴とする封緘紙。
【請求項２】
使用状態で前記弱粘着部分を剥がし易くする為に、該部分の縁部の少なくとも一部につまみ部が設けられてなる請求項１に記載された封緘紙。
【請求項３】
前記つまみ部が非粘着処理により形成されてなる、請求項１又は２に記載された封緘紙。
【請求項４】
前記粘着部分と弱粘着部分の境界部分が非粘着処理された非粘着性境界部分である、請求項１〜３の何れかに記載された封緘紙。
【請求項５】
前記弱粘着部分と剥離紙との間に、該剥離紙側に粘着層を有する粘着シートを介在させてなる、請求項１〜４の何れかに記載された封緘紙。
【請求項６】
前記剥離紙が、粘着部分と弱粘着部分で別々に剥離し得るように分割されている請求項１〜４の何れかに記載された封緘紙。
【請求項７】
粘着部分の剥離紙を除去した請求項６に記載された封緘紙を、予め蓋に貼着してなることを特徴とする、封緘紙付き封筒類。
【発明の詳細な説明】
【０００１】
【発明の属する技術分野】
本発明は、封緘紙に関し、特に、繰り返し使用に好適な封緘紙、及び、それを貼着してなる繰り返し使用に好適な封筒類に関する。
【０００２】
【従来の技術】
通常郵送する封筒類は一度使用したら破棄するか処分され、それを繰り返して使用することはない。書類等の保管を目的として使用する場合には、蓋を一時的に固定する為の固定金具がついているものや、紐で固定するものが使用される。しかしながら、これらの封筒は高価である上、使用し易さの点において難点がある。特に金具を使用したものは、金属の部分が厚くなりこの金具で他の封筒を傷つけるという欠点があった。。
【０００３】
斯かる欠点を改善する方法として、袋類の開口一端面に封止シートの基部を剥離不能に固着し、開口他端面に、封止シートの中央部を剥離可能に貼着し、該剥離可能な封止シートの遊端部側に設けたつまみ部を引っ張る事により封止シートの中央部を剥離し、袋類の開口を再開放する、袋類の綴じ方法、及びそれに使用する綴じ具が開発された（特開平６−１５５９９３号公報）。しかしながら、この場合には、剥離不能に固着する部分の接着剤または粘着剤と、剥離可能に貼着する部分の接着剤又は粘着剤が異なる為、これらを同一基材上に塗り分けなければならず、製造工程が煩雑となる。
【０００４】
【発明が解決しようとする課題】
そこで、本発明者等は上記の欠点を改善する為に鋭意検討した結果、粘着剤としては一種類の粘着剤のみを使用し、部分的に弱粘化処理することにより安価で繰り返し開閉性能に優れた封緘紙とすることが出来ることを見出し、本発明に到達した。
従って本発明の第１の目的は、安価で繰り返し開閉性能に優れた封緘紙を提供することにある。
本発明の第２の目的は、安価で繰り返し使用性に優れた蓋付き封筒類を提供することにある。
【０００５】
【解決手段】
本発明の上記の諸目的は、基材の一方の面に、少なくとも粘着層及び該粘着層を保護する為の剥離紙を有する、蓋付き封筒類に使用する封緘紙であって、前記粘着層が封筒類の蓋、又は封筒本体に貼着する粘着部分を除き弱粘着化処理なされた弱粘着部分であるということを特徴とする封緘紙によって達成された。特に、使用状態で前記弱粘着部分を剥がし易くする為に、該部分の縁部の少なくとも一部につまみ部を設けることが好ましく、これによって蓋の開閉が容易になる。また、つまみ部がベタつかず取り扱いが容易になるように、つまみ部が非粘着処理により形成されることが好ましい。また、粘着部分と弱粘着部分の境界部分が非粘着処理された非粘着性境界部分であることが好ましい。これによって、封筒の蓋部と胴部に跨って封緘紙の粘着部分又は弱粘着部分が貼られることがなくなるので、封筒の蓋の開閉が確実にしかも容易に出来る。また、弱粘着部分と剥離紙との間には、該剥離紙側に粘着層を有する粘着シートを介在させることが好ましい。これによって、封緘紙の開閉を繰り返しても弱粘着部分に封筒の蓋部又は胴部の紙紛が付着しないので弱粘着部分が不用意に剥がれることを防ぐことが出来る。また、粘着部分と弱粘着部分で剥離紙が別々に剥離し得るように分割されていることが好ましい。これによって、封緘紙を封筒の蓋部又は胴部に順次貼り付けることが出来、封緘紙の封筒への貼り付け作業が容易になる。更に、粘着部分の剥離紙を除去した封緘紙を、予め蓋に貼着することにより安価で繰り返し使用性能に優れた蓋付封筒類を提供することが出来る。
【０００６】
【発明の実施の形態】
本発明の封緘紙に使用する基材としては、上質紙やコート紙等の紙、ポリエチレン樹脂、ポリプロピレン樹脂、ポリエステル樹脂、アセテート樹脂等からなる合成紙やフィルムが挙げられる。
基材の厚さは特に制限されるものではないが、５０〜１２０μｍであることが好ましい。
【０００７】
本発明の封緘紙に使用する粘着剤は、公知のものの中から適宜選択することができる。上記公知の粘着剤としては、例えば、アクリル系粘着剤、ゴム系粘着剤、ウレタン系粘着剤等が挙げられる。
粘着層の厚さは特に制限されるものではないが、８〜８０μｍであることが好ましく、特に２０〜５０μｍであることが好ましい。
剥離紙としては公知のものを使用することができる。例えば、グラシン紙、トレーシング紙、コート紙、含浸紙、ポリエチレンラミネート紙等の紙や、ポリエチレン樹脂やポリプロピレン樹脂、ポリエステル樹脂のフィルム、及びこれらの紙やフィルムの表面にシリコーン樹脂等の剥離剤で剥離処理したものが挙げられる。剥離紙の厚さは特に制限されるものではないが、１６〜１００μｍであることが好ましい。
【０００８】
本発明においては、上記の粘着剤を基材の片面の全面に塗布するが、後記する弱粘着化処理がされる部分の端縁部の少なくとも一部については、再剥離し易いように、粘着剤を塗布しなくても良い。本発明の封緘紙は、封筒等の蓋又は本体の一方には再剥離不能に貼着するのでそのままで良い。しかしながら、他方の封筒等の蓋又は本体に貼着する部分は、繰り返し使用する為に再剥離が可能な弱粘化処理をすることが必要となる。
【０００９】
上記弱粘着化処理には、例えば粘着剤の表面に印刷インクを印刷する方法や、無機又は有機の粉末を塗布被覆する方法等が挙げられるが、印刷による方法が好ましい。印刷による方法は、粘着層の弱粘着化したい部分に、紫外線硬化インクを単位面積当たり適度な密度となるように印刷し、次いで紫外線を照射して該インクを硬化させることによって容易に行うことが出来る。このような紫外線硬化インクは公知の物の中から適宜選択することが出来る。この場合、適宜着色されたインクを使用することも出来る。通常この印刷は、点状、線状又は格子状に行い、粘着剤が露出している部分を減少させることによって弱粘着化する。特に図６のように後述するつまみ部側から剥離方向に筋状（帯状）に印刷して非粘着化すると、封緘紙の剥離がスムーズとなるので好ましい。また粘着部分と弱粘着部分の境界部を非粘着とするように、帯状に全面印刷することが好ましい。
【００１０】
また、弱粘着部分を再剥離し易くする為に、つまみ部を設けることが好ましい。このようなつまみ部は、粘着剤を塗布しないことによって形成して良いが、弱粘着部分の端部の少なくとも１部が非粘着となるように印刷しても良い。この場合には、前記したような、粘着剤塗布時に部分的に非塗布部分を設ける必要がなくなるので、基材の片面全面に粘着剤を塗布することが出来る。
【００１１】
本発明においては、実際の使用時まで粘着部を保護する為に、粘着部分全面に剥離紙を設ける。この剥離紙は粘着部分と弱粘着部分の両方にわたって１枚設けられても良いが、粘着部分と弱粘着部分にそれぞれ分割された剥離紙を設けることが、使用し易くなるので好ましい。
本発明の封緘紙は、弱粘着化処理された部分を剥がしたり貼着したりして封筒等を多数回繰り返し使用するものであるが、弱粘着部分とは言え、封筒等の貼着部から紙粉等が移転して粘着性が早期に失われる場合もある。このような欠点を無くす為に、本発明ではグラシン紙やトレーシングペーパー等の紙や、ポリエチレン樹脂、ポリプロピレン樹脂、或いはポリエステル樹脂等の合成紙やフィルムに粘着層を設けた粘着シートを封緘紙の弱粘着該当部分と剥離紙の間に介在させることが好ましい。この場合、封緘紙の弱粘着部分と粘着シートの紙又はフィルムとが貼合され、剥離紙と粘着シートの粘着剤とが貼合される。
尚、粘着シートの厚さは特に制限されるものではないが、２０〜１００μｍであることが好ましい。
以下、本発明の構成を図面に基づいて更に詳述する。
【００１２】
図１は、本発明の封緘紙の断面説明図である。図中の符号１は基材、２は粘着剤層、３はインク、４は剥離紙である。１１は弱粘着化処理によって形成された弱粘着部分であり、１２は粘着部分である。また、図２はつまみ部１５、弱粘着部分１１と粘着部分１２の境界に非粘着性境界部分１３を有し、剥離紙４にスリット８を有する場合の断面説明図である。更に、図３は、図２の封緘紙の弱粘部分と剥離紙の間に、粘着シート６を介在させた場合の実施例、図５は本発明の封緘紙の使用状態を示す図であり、封筒２０の蓋２１と胴部２２に図１乃至３の封緘紙を貼着した例、図６は図５の断面図であり蓋を開いた状態を表す図である。図４は本発明の封緘紙の粘着剤層面の１例を示す説明図であって、２は粘着剤層であり３はインクである。
【００１３】
【発明の効果】
本発明の封緘紙は強粘着部分と弱粘着部分の粘着剤を塗り分ける必要がないので製造が容易であり製造コストが抑制される。また、この封緘紙を使用することにより、封筒類が有効に多数使用されるので省資源にも寄与する。
【００１４】
【実施例】
以下、本発明を実施例に基づいて更に詳述するが、本発明はこれによって限定されるものではない。
【００１５】
実施例１．
巾１６０ｍｍで帯状の、厚さ７０μｍの剥離紙４（グラシン紙をシリコーン剥離剤で剥離処理したもの：リンテック社製　商品名８Ｋ）にアクリル系粘着剤（リンテック社製　商品名ＭＦ）を塗布・乾燥し、厚さ２０μｍの粘着層２を形成した。次いで上記粘着層２の表面に、基材１として厚さ８０μｍの合成紙（ユポコーポレーション社製、商品名ユポ８０）を貼り合せた。
次に、これを巾４０ｍｍにスリットし、剥離紙４を剥がし、オフセット印刷機にて、ＵＶインク（東華色素化学工業社製、商品名ＵＶ１１６）３を用いて粘着層２に印刷を行い、紫外線を照射してＵＶインクを硬化させ、弱粘着部分１１及びつまみ部１５を形成した。具体的には、つまみ部１５として巾方向の一端部から８ｍｍの間をＵＶインクでベタ印刷し、弱粘着部分１１として一端部から８ｍｍと２５ｍｍの間を格子状（格子の線巾０．８ｍｍ、格子の間隔１６ｍｍ）にパターン印刷を行った（図１参照）。
次に粘着層２の表面に再び剥離紙４を貼り合せた後、これを長さ方向に４０ｍｍに切断して４０ｍｍ×４０ｍｍの本発明の封緘紙を作製した。
次に、得られた封緘紙の剥離紙４を剥がし、粘着部分１２が封筒２０の蓋２１の部分に、弱粘着部分１１が封筒２０の胴２２の部分に貼着するように封緘紙を封筒に貼着し、本発明の封緘紙付き封筒を作製した（図５及び図６（ａ）参照）。
得られた封筒は、封緘紙のつまみ部１５を持って蓋を３０回以上開閉することができた。
【００１６】
実施例２．
実施例１で使用した封緘紙の剥離紙４を剥離し、粘着部分１２が封筒２０の胴部２２に、弱粘着部分１１が封筒２０の蓋２１の部分に貼着するように封緘紙を封筒に貼着し、本発明の封緘紙付き封筒を作製した（図６（ｂ）参照）。
封緘紙のつまみ部１５を持って封緘紙を蓋から剥離した後再び封緘紙を蓋に貼着することを繰り返したところ、３０回以上蓋を開閉することができた。
【００１７】
実施例３．
基材１を８０μｍの上質紙とし、粘着剤層２へのＵＶインクの印刷時に、つまみ部１５側の一端部から２５ｍｍと３０ｍｍの間をベタ印刷して非粘着性境界部分１３を、図４に示すように巾８ｍｍで８ｍｍ間隔に帯状に印刷して弱粘着部分１１をそれぞれ形成し、印刷後に剥離紙を貼着した後、前記一端部から２７ｍｍのところで剥離紙にスリット８を入れたこと以外は、実施例１と同様にして、４０ｍｍ×４０ｍｍの本発明の封緘紙を作製した（図２参照）。
次に得られた封緘紙の粘着部分に貼着されている剥離紙を剥離し、実施例１と同様にして封筒の蓋に貼着し、次いで弱粘着部分に貼着されている剥離紙を剥離し、封筒の胴の部分に貼着して、本発明の封緘紙付き封筒を作製した。このとき、非粘着性境界部分１３が封筒２０の胴部２２と蓋２１の境界の部分に当接する（図６（ｃ）参照）。
この場合には、封緘紙のつまみ部を持って３０回以上開閉することができた。
【００１８】
実施例４．
基材１を８０μｍの合成紙（ユポコーポレーション社製、商品名ユポ８０）とし、粘着剤層２へのＵＶインク印刷時につまみ部１５側の一端部から２５ｍｍと３０ｍｍの間をベタ印刷して非粘着性境界部分を形成し、更に粘着層２へのＵＶインクの印刷・硬化後に、粘着層２の表面に巾２７ｍｍの粘着シート６（厚さ２０μｍのポリプロピレン樹脂フィルム６１に厚さ１５μｍの粘着層６２（リンテック社製　商品名ＰＧ）を設けたもの）を前記一端部に沿って貼着した他は、実施例１と同様にして本発明の封緘紙を作製した（図３参照）。
次に、得られた封緘紙の剥離紙４を剥がし、非粘着性境界部分１３が蓋２１と胴部２２の境に当接し、粘着部分が封筒の蓋２１の部分に、粘着シート６の部分が胴部２２に貼着するように封緘紙を封筒に貼着し、本発明の封緘紙付き封筒を作製した（図６ｄ参照）。
封緘紙のつまみ部を持って封筒の蓋の開閉を５０回以上行ったが、封筒の胴の部分に傷みは生じなかった。
【図面の簡単な説明】
【図１】本発明の封緘紙の１例を示す断面説明図である。
【図２】剥離紙にスリットを有する本発明の封緘紙の１例を示す断面説明図である。
【図３】粘着シートを介在させた本発明の封緘紙の１例を示す断面説明図である。
【図４】本発明の封緘紙の粘着剤層面の１例を示す説明図である。
【図５】本発明の封緘紙の使用状態を示す平面図である。
【図６】図５の断面図であって蓋を開いた状態図である。
【符号の説明】
１．基材
２．粘着層
３．インク
４．剥離紙
６．粘着シート
８．スリット
１１．弱粘着部分
１２．粘着部分
１３．非粘着性境界部分
１５．つまみ部
２０．封筒
２１．蓋
２２．胴部
６１．樹脂フィルム
６２．粘着剤層
【図１】
2004090963.tif 000003
【図２】
2004090963.tif 000004
【図３】
2004090963.tif 000005
【図４】
2004090963.tif 000006
【図５】
2004090963.tif 000007
【図６】
2004090963.tif 000008
2004090963.tif 000009
2004090963.tif 000010
2004090963.tif 000011